(57)【要約】【課題】常時高い防犯性能を有するとともに、遊技機に電源が供給されずとも解錠可能であり、係員による解錠操作が容易でかつスピーディな遊技機用施錠装置を提供する。【解決手段】本発明の遊技機用施錠装置１は、遊技機の外枠と、該外枠に開閉可能に枢支される中枠（取付板９２９）と、を機械的に施錠する施錠手段２（中枠用受け部材、中枠用フック２１、中枠用リンク棒２２、中枠用スライダ２３、シリンダ錠２４）と、該施錠手段２の解錠操作を機械的に禁止あるいは許容する規制手段（ロッキングレバー４）と、該規制手段（４）により該施錠手段２の解錠操作を禁止された禁止状態を電気的に解除する電気的解除手段（モータ５）と、該規制手段（４）による該禁止状態を機械的に解除する機械的解除手段６（サブシリンダ錠６１、解除用スライダ６２）と、を備える。【選択図】図２
2008086485.tif 000002
【特許請求の範囲】
【請求項１】
遊技機の外枠と、該外枠に開閉可能に枢支される中枠と、を機械的に施錠する施錠手段と、
該施錠手段の解錠操作を機械的に禁止あるいは許容する規制手段と、
該規制手段により該施錠手段の解錠操作を禁止された禁止状態を電気的に解除する電気的解除手段と、
該規制手段による該禁止状態を機械的に解除する機械的解除手段と、
を備えることを特徴とする遊技機用施錠装置。
【請求項２】
前記施錠手段は、前記外枠と前記中枠のいずれか一方に設けられた被係止部材と、他方に設けられて該被係止部材を係止あるいは解放する係止部材と、機械的な操作により該係止部材を駆動するシリンダ錠と、を有し、前記規制手段は、該係止部材と該被係止部材とを係脱する該シリンダ錠の解錠操作を禁止あるいは許容する規制部材を有する、請求項１に記載の遊技機。
【請求項３】
前記電気的解除手段は、前記規制部材を駆動して前記係止部材と前記被係止部材とを係脱可能とするモータあるいはソレノイドと、該モータあるいは該ソレノイドの電源を制御するセキュリティー認証装置と、を有する請求項２に記載の遊技機。
【請求項４】
前記機械的解除手段は、前記規制部材を駆動して前記係止部材と前記被係止部材とを係脱可能とする機構部と、機械的な操作により該機構部を駆動するサブシリンダ錠と、を有する請求項２に記載の遊技機。
【請求項５】
前記サブシリンダ錠を覆うカバー部材を備える請求項４に記載の遊技機。
【請求項６】
前記外枠または前記中枠に開閉可能に枢支されるガラス枠と、該中枠と、を機械的に施錠する第二施錠手段を備え、前記規制手段は該第二施錠手段の解錠操作を機械的に禁止あるいは許容する第二規制手段を兼用する請求項１〜５のいずれかに記載の遊技機。
【発明の詳細な説明】
【技術分野】
【０００１】
本発明は、パチンコ台などの遊技機の施錠装置に関し、より詳細には防犯性能を高めた施錠装置に関する。
【背景技術】
【０００２】
遊技店に設置されるパチンコ台などの遊技機は、遊技機本体の外枠と、外枠に開閉可能に枢支された中枠及びガラス枠と、を主要部材として構成されるのが一般的である。遊技面を備えた中枠には電子制御装置や表示装置などが多数搭載されており、遊技者が勝手に触れられないように、外枠と中枠との間及び、中枠とガラス枠との間は常時施錠されている。一方、遊技中の不具合への対応や閉店後の調整の際には、錠を解いて中枠やガラス枠を開閉する必要が生じる。したがって、遊技機用施錠装置には、不特定者の不正な解錠操作を確実に防止するとともに、係員が容易に解錠できる構造が必要とされてきた。
【０００３】
従来の遊技機用施錠装置では、施錠する一方の枠に「受け」と呼ばれる被係止部材が設けられ、他方の枠に「フック」と呼ばれて被係止部材を係脱する係止部材が設けられ、さらに係止部材を駆動するスライダ部材及びシリンダ錠が設けられるのが、一般的な構造とされていた。そして、係員は鍵を用いてシリンダ錠を操作することにより解錠を行うようになっていた。しかしながら、この構造では、合い鍵による解錠や枠の隙間からの不正操作のおそれがあるため、防犯性能を高めた施錠装置が各種発明されてきた。例えば、特許文献１に開示される遊技機の解錠ロック装置では、スライダ部材に相当するロッドに規制ピンを設け、さらに規制ピンをロックするロック手段を設けて、セキュリティー対策としている。すなわち、ロック手段を解除しない限りロッドが動かない構造とされ、仮に合い鍵や不正操作によってロッドに外力が加えられても解錠できないようになっている。
【特許文献１】特開平１１−２３５４５１号公報
【発明の開示】
【発明が解決しようとする課題】
【０００４】
ところで、特許文献１の解錠ロック装置では、ロック手段をロックピンと付勢手段とで構成し、その解除手段としてソレノイドを用いている。すなわち、常時は付勢手段によってロックピンを突出させて規制ピンをロックし、解錠時はソレノイドに通電することによりロックピンを吸引してロックを解除している。しかしながら、この態様では、遊技機に電源が供給されていないときに解錠を行うことができず、取り扱い上著しく不便であった。また、ロック装置の複雑化により係員の解錠操作が煩雑となって手間取り、遊技者の快適性を損ねるおそれもあった。
【０００５】
本発明は上記背景に鑑みてなされたものであり、常時高い防犯性能を有するとともに、遊技機に電源が供給されずとも解錠可能であり、係員による解錠操作が容易でかつスピーディな遊技機用施錠装置を提供する。
【課題を解決するための手段】
【０００６】
本発明の遊技機用施錠装置は、遊技機の外枠と、該外枠に開閉可能に枢支される中枠と、を機械的に施錠する施錠手段と、該施錠手段の解錠操作を機械的に禁止あるいは許容する規制手段と、該規制手段により該施錠手段の解錠操作を禁止された禁止状態を電気的に解除する電気的解除手段と、該規制手段による該禁止状態を機械的に解除する機械的解除手段と、を備えることを特徴とする。
【０００７】
本発明は、シリンダ錠などの機械的施錠手段の解錠操作の可否を制御する機械的規制手段を備え、この規制手段の解錠禁止状態の解除を、電気的解除手段あるいは機械的解除手段のどちらでも行えるようにしたことを特徴とする。したがって、常時は規制手段によって解錠操作を禁止することにより、高い防犯性能を維持することができる。そして、解錠操作の際には、電気的解除手段または機械的解除手段により規制手段の解錠禁止状態を解除することができ、電源が供給されていない状況であっても機械的解除手段による解除が可能となっている。
【０００８】
前記施錠手段は、前記外枠と前記中枠のいずれか一方に設けられた被係止部材と、他方に設けられて該被係止部材を係止あるいは解放する係止部材と、機械的な操作により該係止部材を駆動するシリンダ錠と、を有し、前記規制手段は、該係止部材と該被係止部材とを係脱する該シリンダ錠の解錠操作を禁止あるいは許容する規制部材を有する、ことが好ましい。
【０００９】
施錠手段自体には従来の構造を適用することができ、「受け」と呼ばれる被係止部材と、「フック」と呼ばれて被係止部材を係脱する係止部材と、係止部材を駆動するシリンダ錠と、を主要部材として構成することができる。シリンダ錠は、例えば中枠の前面に配設して係員が鍵を用いて容易に操作できるようにすることができる。フックとシリンダ錠との間には、操作力を伝達する各種の連結部材を適宜組み合わせて用いることができる。また、フックと連結部材とを一体に形成して係止部材としてもよい。
【００１０】
規制部材は、係止部材と被係止部材とを係脱するシリンダ錠の解錠操作を禁止あるいは許容するものであり、機械的な部材で形成されている。規制部材は、例えば規制ピンとして、係止部材の規制溝に嵌入または規制孔に挿入、あるいは係止部材に当接して、係止部材を係止するように構成することができる。規制部材が係止部材を係止するとシリンダ錠の解錠操作は行えなくなり、係止が解除されるとするとシリンダ錠の解錠操作が行えるようになる。
【００１１】
規制部材による解錠禁止状態を解除する手段として、電気的解除手段と機械的解除手段とを備えることができる。両者は、どちらか一方で解除の機能を果たせるとともに、他方の妨げとならないように構成することができる。あるいは、電気的解除手段を優先し、電源が供給されないときにのみ機械的解除手段を有効とするように構成してもよい。
【００１２】
前記電気的解除手段は、前記規制部材を駆動して前記係止部材と前記被係止部材とを係脱可能とするモータあるいはソレノイドと、該モータあるいは該ソレノイドの電源を制御するセキュリティー認証装置と、を有する、ことが好ましい。
【００１３】
電気的解除手段として、例えばモータを用いて出力軸にギヤ機構を設け、出力トルクで規制部材を駆動するように構成することができる。あるいは、ソレノイドを用いて通電による出力軸の変位で規制部材を駆動するようにしてもよく、さらに非通電時の状態を規定するためにばね部材などの付勢手段を設けるようにしてもよい。モータやソレノイドの電源のオン、オフの制御は、通常のスイッチで行うこともできるが、生体認証や電子キーを応用したセキュリティー認証装置を用いることが好ましい。セキュリティー認証装置は、装置本体を遊技機内部に設け、認証用端末を中枠前面に設けることができる。係員は、例えば指紋認証用端末に指先を触れるだけの簡単な操作で電源を制御できる一方、不特定者が触れても電源の制御は行えない。したがって、シリンダ錠の鍵と合わせて二重の防犯機能を有して防犯性能は一層向上する。また、遊技機に不具合が発生したときの係員の解錠操作は容易でかつスピーディであり、遊技者は快適に遊技することができる。
【００１４】
前記機械的解除手段は、前記規制部材を駆動して前記係止部材と前記被係止部材とを係脱可能とする機構部と、機械的な操作により該機構部を駆動するサブシリンダ錠と、を有する、ことが好ましい。
【００１５】
機械的解除手段として、機構部とサブシリンダ錠とを設け、例えば施錠手段のシリンダ錠とは異なる鍵を用いて機械的に操作することにより、規制部材を駆動するように構成することができる。サブシリンダ錠は、例えば中枠前面に配設し、連結部材などを用いて適宜機構部を構成することにより、規制部材まで機械的な操作力を伝達することができる。
【００１６】
前記サブシリンダ錠を覆うカバー部材を備える、ようにしてもよい。
【００１７】
カバー部材は、例えばねじ止めとして、容易に開けられない構造とすることができる。あるいは、電気的に閉じる構造として、電源が供給されないときだけ開いて操作可能とすることもできる。カバー部材を設けることにより、サブシリンダ錠の操作はすぐにはできなくなって機械的解除手段は非常用とされ、電気的解除手段が普段の解除手段として常用されることになる。これによって普段の防犯性能が向上し、さらに前述のセキュリティー認証装置を組み合せた態様では防犯性能は格段に優れたものとなる。
【００１８】
前記外枠または前記中枠に開閉可能に枢支されるガラス枠と、該中枠と、を機械的に施錠する第二施錠手段を備え、前記規制手段は該第二施錠手段の解錠操作を機械的に禁止あるいは許容する第二規制手段を兼用する、ことが好ましい。
【００１９】
ガラス枠と中枠とを機械的に施錠する第二施錠手段を備える場合に、規制手段は兼用とすることができる。例えば、第二施錠手段を施錠手段と類似の被係止部材と係止部材とで構成し、共通の規制部材が２つの施錠手段の係止部材を一括して係止するようにして、実現することができる。このとき、電気的解除手段と機械的解除手段も兼用され、２つの施錠手段は、同等の高い防犯性能を有することになる。
【発明の効果】
【００２０】
上述の本発明の遊技機用施錠装置によれば、常時は規制手段によって解錠操作を禁止することにより高い防犯性能を維持することができるとともに、電源が供給されていない状況であっても機械的解除手段により規制手段の解錠禁止状態を解除して解錠操作を行うことができる。
【００２１】
さらに、機械的解除手段であるサブシリンダ錠をカバー部材で覆うとともに電気的解除手段にセキュリティー認証装置を有する態様では、不特定者が触れても解錠禁止状態が解除されず、シリンダ錠の鍵と合わせた二重の防犯機能により防犯性能を格段に優れたものとすることができ、また係員による解錠操作は容易でかつスピーディである。
【発明を実施するための最良の形態】
【００２２】
本発明を実施するための最良の形態を、図１〜図８を参考にして説明する。まず、図１を参考にして、遊技機の一般的な構造を説明する。図示されるように、遊技機９は、立設された略矩形枠状の外枠９１と、遊技面や遊技ハンドルなどを備えた中枠９２と、常時中枠９２を覆うガラス枠９３と、を主にして構成されている。中枠９２及びガラス枠９３は、外枠９１の左端前面に設けられた枢支部９４により、開閉可能に枢支されている。すなわち、中枠９２は、図中左側の一辺部を軸心として回動することにより、外枠９１に対して開閉するようになっている。また、ガラス枠９３は、図中奥側の一辺部を軸心として回動することにより、中枠９２に対して開閉するようになっている。ここで、中枠９２とガラス枠９３とは独立して開閉するため、別々に施錠することが必要である。そして、施錠装置の主要部材は、中枠９２の右側面にねじを用いて取り付けられた取付板９２９に配設されている。
【００２３】
次に、本発明の実施例の遊技機用施錠装置について、図２を参考にして説明する。図２は、実施例の遊技機用施錠装置を説明する図であり、（Ａ）は施錠装置を右前方からみた斜視図、（Ｂ）は施錠装置を右後方からみた斜視図である。実施例の施錠装置１は、中枠９２を外枠９１に施錠する中枠用施錠手段２と、ガラス枠９３を中枠９２に施錠するガラス枠用施錠手段３と、規制手段に相当するロッキングレバー４と、電気的解除手段に相当するモータ５と、機械的解除手段６と、図示されていない制御部７と、で構成されている。なお、以降の説明では、中枠用施錠手段２に関する部材には「中枠用」を、ガラス枠用施錠手段３に関する部材には「ガラス枠用」を付し、区別して記載する。
【００２４】
中枠用施錠手段２は、上方と下方の２箇所で施錠されるようになっている。上方では、外枠９１の上方寄りに設けられた図略の中枠用受け部材と、中枠９２の右側面の取付板９２９の上方寄りに枢支されて外枠受け部材を係止及び解放する中枠用フック２１と、で施錠されるように構成されている。中枠用フック２１の中央は、中枠９２右側面の取付板９２９に枢支される枢支部２１１である。中枠用フック２１の外枠９１に向かう一端には係止爪２１２が形成され、他端にはリンク部２１３が形成されている。係止爪２１２は、上昇することにより中枠用受け部材を係止し、下降することにより中枠用受け部材を解放するようになっている。リンク部２１３には、下方に延設される中枠用リンク棒２２が接続されている。中枠用リンク棒２２の下端には、さらに中枠用スライダ２３が接続されている。一方、取付板９２９の前面下方寄りにはシリンダ錠２４が設けられ、係員の回動操作によりレバー２４１が上下に揺動するようになっている。そして、レバー２４１が上方に揺動すると、中枠用スライダ２３の操作爪２３１を上方に押し上げ、係止爪２１２が下降して解錠されるようになっている。
【００２５】
また、中枠９２の下方には、外枠９１に設けられたストライカ９１１を係止あるいは解放する係止手段２５が設けられている。係止手段２５は、中枠用スライダ２３に連動して動作し、構造は異なるものの、上方と同様の施錠機能を有している。
【００２６】
ガラス枠用施錠手段３は、ガラス枠９３の上方寄りと下方寄りとに設けられた図略の２個のガラス枠用受け部材と、取付板９２９に枢支されてガラス枠用受け部材を係止及び解放する２個のガラス枠用フック３１と、で施錠されるように構成されている。ガラス枠用フック３１の中央は取付板９２９に枢支される枢支部３１１であり、ガラス枠９３に向かう一端には係止爪３１２が形成され、他端にはリンク部３１３が形成されている。係止爪３１２は、下降することによりガラス枠用受け部材を係止し、上昇することによりガラス枠用受け部材を解放するようになっている。上側のガラス枠用フック３１のリンク部３１３には、下方に延設されるガラス枠用リンク棒３２が接続されている。ガラス枠用リンク棒３２の下端には、さらにガラス枠用スライダ３３が接続されている。下側のガラス枠用フック３１のリンク部は、ガラス枠用スライダ３３に直結されている。そして、兼用とされたシリンダ錠２４のレバー２４１が下方に揺動すると、ガラス枠用スライダ３３の操作爪３３１を下方に押し下げ、係止爪３１２が上昇して解錠されるようになっている。
【００２７】
次に、ロッキングレバー４及びモータ５の構造について、図３及び図４を参考にして説明する。図３は、実施例の施錠装置１の下方の要部を説明する図であり、（Ａ）は右側面図、（Ｂ）は裏面図である。なお、ロッキングレバー４については、見易くするために図中でハッチングを施してある。図３（Ａ）に示されるように、ロッキングレバー４及びモータ５は取付板９２９に固定された収納ケース９２１内に配設されている。また、収納ケース９２１の図中手前側には、中枠用スライダ２３及びガラス枠用スライダ３３の下部が延設されてきている。さらに、収納ケース９２１の図中奥側には、後述する機械的解除手段６の解除用スライダ６２が延設されてきている。図４は、図３の右側面図を補足する図であり、（Ａ）はロッキングレバー４及びモータ５の構造を、（Ｂ）はロッキングレバー４及び解除用スライダ６２の構造を、それぞれ示している。
【００２８】
ロッキングレバー４は、図４（Ａ）に示されるように収納ケース９２１内に配設されており、板状の部材に枢支部４０１、規制ピン４０２、解除ピン４０３、はす歯ギヤ４０４が付設されて形成されている。枢支部４０１は、収納ケース９２１に枢支されており、ロッキングレバー４は揺動可能となっている。規制ピン４０２は紙面手前側に向かって突設され、図３（Ａ）に示されるように収納ケース９２１の案内窓９２２から突出している。一方、解除ピン４０３は紙面奥側に向かって突設され、収納ケース９２１の案内窓から突出している。はす歯ギヤ４０４は、部材の図中右側に形成されている。
【００２９】
モータ５は電気的解除手段であり、図４（Ａ）に示されるように、出力軸５０１にはウォームギヤ５０２が形成され、ロッキングレバー４のはす歯ギヤ４０４と噛み合っている。したがって、モータ５を正転及び逆転の両方向に駆動することにより、駆動力はウォームギヤ５０２からはす歯ギヤ４０４に伝達され、ロッキングレバー４を時計回り及び反時計回りのいずれの方向にも揺動させることができる。また逆に、はす歯ギヤ４０４側からウォームギヤ５０２側への動力伝達も可能とされ、後述の機械的解除手段６による操作を妨げないようになっている。
【００３０】
次に、機械的解除手段６について説明する。図２に示されるように、機械的解除手段６は、サブシリンダ錠６１と、ロッキングレバー４まで機械的な操作力を伝達する解除用スライダ６２と、で構成されている。サブシリンダ錠６１は、中枠９２の前面上部に配設されており、２つの施錠手段２、３を解錠するシリンダ錠２４とは異なる鍵で操作されるようになっている。サブシリンダ錠６１のレバー６１１には、下方に延設される解除用スライダ６２が接続されている。解除用スライダ６２は、図３（Ｂ）に示されるように下方で二度折れ曲がって収納ケース９２１の側方（図中では裏面）にまで達している。さらに、解除用スライダ６２の下端には、図４（Ｂ）に示されるように、解除孔６２１が形成され、ロッキングレバー４の解除ピン４０３が嵌入している。したがって、サブシリンダ錠６１を回動操作すると、操作力によって解除用スライダ６２が引き上げられ、解除ピン４０３が持ち上げられて、ロッキングレバー４が反時計回りに揺動するようになっている。なお、解除孔６２１は解除ピン４０３よりも大きく形成されて寸法上の遊びがあり、モータ５による解除操作を妨げないようになっている。
【００３１】
次に、ロッキングレバー４による解錠操作の禁止状態について、図５を参考にして説明する。図５は、図３の右側面図中の部材を一部省略した図であり、（Ａ）は中枠９２の解錠禁止状態、（Ｂ）はガラス枠９３の解錠禁止状態、をそれぞれ示している。図５に示されるように、ロッキングレバー４が時計回りに揺動した状態では、規制ピン４０２は収納ケース９２１の案内窓９２２の左方に移動する。そして、（Ａ）に示されるように、規制ピン４０２は中枠用スライダ２３の被規制突部２３２を係止して、中枠用スライダ２３の上昇を禁止する。したがって、シリンダ錠２４のレバー２４１を上方に揺動させて操作爪２３１を上方に押し上げる操作ができなくなり、中枠９２の解錠操作が禁止される。同様に（Ｂ）に示されるように、規制ピン４０２はガラス枠用スライダ３３の被規制端部３３２を係止するので、シリンダ錠２４のレバー２４１を下方に揺動させて操作爪３３１を下方に押し下げる操作ができなくなり、ガラス枠９３の解錠操作が禁止される。規制ピン４０２は、中枠用規制手段とガラス枠用規制手段とを兼用した規制部材である。
【００３２】
次に、解錠操作を許容するための規制ピン４０２の解除方法について説明する。モータ５による駆動あるいはサブシリンダ錠６１の回動操作により、ロッキングレバー４は反時計回りに揺動し、規制ピン４０２は案内窓９２２の右方に移動する。すると、中枠用スライダ２３及びガラス枠用スライダ３３の係止が解除され、シリンダ錠２４の解錠禁止状態が解除される。
【００３３】
次に、制御部７について、図６を参考にして説明する。図６は制御部７の構成及び接続方法を説明する図であり、破線は情報の流れを示している。制御部７は、認証用端末７１、セキュリティー認証装置７２、中枠用スイッチ７３、ガラス枠用スイッチ７４、制御本体部７５で構成されている。認証用端末７１は、中枠９２前面に設けられており、入力された指紋あるいは電子キーなどの認証用情報を読みとり、セキュリティー認証装置７２に伝送するものである。セキュリティー認証装置７２は、伝送された認証用情報を、あらかじめ設定された個人情報と比較照合し、照合結果を制御本体部７５に通知するものである。なお、あらかじめ設定する個人情報は、解錠操作を行う正当な係員の情報である。中枠用スイッチ７３及びガラス枠用スイッチ７４は、中枠９２とガラス枠９３の開閉状態をそれぞれ検出し、制御本体部７５に通知するものである。制御本体部７５は、通知された照合結果に基づいて解錠可否を判定した後に解錠を許容あるいは禁止するために、さらには枠９２、９３の閉じた後に解錠を禁止するために、モータ５を制御する。制御本体部７５には、マイクロコンピュータを応用した電子制御装置が用いられている。
【００３４】
次に、実施例の遊技機用施錠装置１の操作方法、作用について、図７を参考にして説明する。図７は、ガラス枠９３の開閉操作フローを説明する図であり、括弧付きの番号は以降の説明中の記載に対応している。なお、中枠９２の開閉操作フローも同様であるため、説明は省略する。
【００３５】
遊技機９のガラス枠９３を開きたい場合、係員はまず認証用端末７１に認証用情報を入力する（１）。例えば、認証用端末７１に指先で触れて指紋情報を読みとらせる。あるいは電子キーを挿入して電子情報を読みとらせる。すると、セキュリティー認証装置７２は、読みとった認証用情報を設定済みの個人情報と比較照合する（２）。照合結果が正当であれば（３）、制御本体部７５は、モータ５を駆動して規制ピン４０２を解除し、解錠禁止状態を解除する（４）。照合結果が不当であれば（３）、再度認証用情報の入力を待機する。解錠操作が許容されると、係員はシリンダ錠２４を回動操作することができ、フック３１が受け部材を解放して解錠され（５）、ガラス枠９３を開くことができる（６）。作業が終了して、係員がガラス枠９３を閉じると、フック３１が受け部材を係止して施錠される（７）。すると、ガラス枠用スイッチ７４が、ガラス枠９３の閉状態を検出して、制御本体部７５に通知する（８）。制御本体部７５は、モータ５を駆動して規制ピン４０２を駆動し、ガラス枠用スライダ３３を係止して解錠操作を禁止する（９）。
【００３６】
上述の開閉操作フローに説明されるように、本実施例では普段は電気的解除手段が優先して用いられる。しかしながら、電源が供給されていない場合には、（２）〜（４）の操作が行われない。このときには、サブシリンダ錠６１を回動操作することによって、規制ピン４０２が解除されて、シリンダ錠２４が操作できるようになる。
【００３７】
また、不特定者が認証用情報を入力しても、（３）で不当と判定されるため、（４）に到達しない。したがって、仮に合い鍵や不正な操作でガラス枠用スライダ３３を動かそうとしても、規制ピン４０２がこれを禁止するので、解錠されない。つまり二重の防犯機能により、高い防犯性能を維持することができる。
【００３８】
なお、図８に示されるように、サブシリンダ錠６１を覆うカバー部材６５を設けてもよい。カバー部材６５は、サブシリンダ錠６１の前面に設けられ、中枠９２にねじ止めされている。したがって、常時はサブシリンダ錠６１の前面からの回動操作は行えず、機械的解除手段６は非常用として用いられる。
【００３９】
また、実施例とは逆に、受け部材を中枠９２に設け、フック、リンク棒、スライダ及びシリンダ錠を外枠９１に設ける態様とすることもできる。さらに、外枠９１に対する中枠９２の閉操作もしくは中枠９２に対するガラス枠９３の閉操作をアシストするアシスト装置を適宜設けてもよい。
【図面の簡単な説明】
【００４０】
【図１】遊技機の一般的な構造を説明する図である。
【図２】本発明の実施例の遊技機用施錠装置を説明する図であり、（Ａ）は施錠装置を右前方からみた斜視図、（Ｂ）は施錠装置を右後方からみた斜視図である。
【図３】図２の実施例の下方の要部を説明する図であり、（Ａ）は右側面図、（Ｂ）は裏面図である。
【図４】図３の右側面図を補足する図であり、（Ａ）はロッキングレバー及びモータの構造を、（Ｂ）はロッキングレバー及び解除用スライダの構造を、それぞれ示している。
【図５】図３の右側面図中の部材を一部省略した図であり、（Ａ）は中枠の解錠禁止状態、（Ｂ）はガラス枠の解錠禁止状態、をそれぞれ示している。
【図６】図２の実施例において、制御部の構成及び接続方法を説明する図である。
【図７】図２の実施例において、ガラス枠の開閉操作フローを説明する図である。
【図８】サブシリンダ錠を覆うカバー部材を説明する図である。
【符号の説明】
【００４１】
１：施錠装置    
２：中枠用施錠手段
２１：中枠用フック            ２２：中枠用リンク棒
２３：中枠用スライダ
２４：シリンダ錠              ２５：係止手段
３：ガラス枠用施錠手段
３１：ガラス枠用フック        ３２：ガラス枠用リンク棒
３３：ガラス枠用スライダ
４：ロッキングレバー
４０１：枢支部                ４０２：規制ピン
４０３：解除ピン              ４０４：はす歯ギヤ
５：モータ（電気的解除手段）
５０１：出力軸                ５０２：ウォームギヤ
６：機械的解除手段
６１：サブシリンダ錠          ６２：解除用スライダ
６２１：解除孔                ６５：カバー部材
７：制御部
７１：認証用端末              ７２：セキュリティー認証装置
７３：中枠用スイッチ          ７４：ガラス枠用スイッチ
７５：制御本体部
９：遊技機
９１：外枠                    ９２：中枠            ９２９：取付板
９３：ガラス枠                ９４：枢支部
【図１】
2008086485.tif 000003
【図２】
2008086485.tif 000004
【図３】
2008086485.tif 000005
【図４】
2008086485.tif 000006
【図５】
2008086485.tif 000007
【図６】
2008086485.tif 000008
【図７】
2008086485.tif 000009
【図８】
2008086485.tif 000010